(57)【要約】【課題】作成されたテキスト文書のテキストと、このテキストに対応するフォントとをそれぞれ同一の方式で暗号化し、前記暗号化されたテキスト文書を前記暗号化されたフォントに適用して本来のテキスト文書に復元する文書保安方法を提供する。【解決手段】前記作成されたテキスト文書のテキストに対する固有文字イメージまたは固有コードを互いに異なったコード領域内で位置を規則的な形態で変えることによってテキスト文書を暗号化し、前記テキスト文書のテキストに対応するフォントのグリフが有している固有文字イメージまたは固有コードを互いに異なったフォント領域内で位置を前記と同一の規則的な形態で変えてフォントを暗号化する。【選択図】図１
2010529532.tif 000002
【特許請求の範囲】
【請求項１】
作成されたテキスト文書のテキストとこのテキストに対応するフォントをそれぞれ同一の方式で暗号化する暗号化段階と、
前記暗号化されたテキスト文書を前記暗号化されたフォントに適用して本来のテキスト文書に復元する復元段階と、
を含んでなることを特徴とする文書保安方法。
【請求項２】
前記暗号化段階以後に前記暗号化されたテキスト文書を前記暗号化されたフォントとともに格納媒体に格納する格納段階をさらに含み、前記復元段階は、前記格納媒体に格納された前記暗号化されたテキスト文書を前記暗号化されたフォントに適用して本来のテキスト文書に復元するものであることを特徴とする請求項１に記載の文書保安方法。
【請求項３】
前記暗号化段階以後に前記暗号化されたテキスト文書を前記暗号化されたフォントとともに通信プロトコルを用いて伝送する伝送段階をさらに含み、前記復元段階は、前記通信プロトコルを用いて伝送された前記暗号化されたテキスト文書を前記暗号化されたフォントに適用して本来のテキスト文書に復元するものであることを特徴とする請求項１に記載の文書保安方法。
【請求項４】
前記暗号化段階は、作成されたテキスト文書のテキストに対する固有文字イメージまたは固有コードを互いに異なったコード領域内で位置を規則的な形態で変えることによってテキスト文書を暗号化し、前記テキスト文書のテキストに対応するフォントのグリフが有している固有文字イメージまたは固有コードを互いに異なったフォント領域内で位置を前記と同一の規則的な形態で変えてフォントを暗号化することを特徴とする請求項１〜３のいずれかに記載の文書保安方法。
【請求項５】
前記暗号化段階は、変換キーを生成する段階をさらに含み、前記作成されたテキスト文書のテキストに対して前記生成された変換キーを用いてテキストに対する固有文字イメージまたは固有コードを互いに異なったコード領域内で位置を規則的な形態で変えることによってテキスト文書を暗号化し、前記テキスト文書のテキストに対応するフォントに対して前記生成された変換キーを用いてフォントのグリフが有している固有文字イメージまたは固有コードを互いに異なったフォント領域内で位置を前記と同一の規則的な形態で変えてフォントを暗号化することを特徴とする請求項４に記載の文書保安方法。
【請求項６】
ユーザ端末から入力されるテキスト文書を含む文書情報を格納管理してユーザ情報を格納管理するメインサーバと、ユーザ認証を行う保安管理サーバとを含むネットワーク情報保安システムにおいて、
ユーザ端末からテキスト文書に対する格納要請を受けると、前記保安管理サーバでユーザに対する認証情報に基づいて入力変換キーを生成し、前記格納要請を受けたテキスト文書のテキストを前記生成された入力変換キーによって暗号化した後、前記メインサーバに格納要請して前記ユーザ情報と前記入力変換キーを管理する暗号化文書格納段階と、
ユーザ端末から前記メインサーバに格納された暗号化されたテキスト文書に対する伝送要請を受けると、ユーザに対する認証情報と前記既格納管理される該当テキスト文書に対応するユーザ情報及び入力変換キーを用いて出力変換キーを生成し、前記伝送要請を受けたテキスト文書のテキストを前記生成された入力変換キーによって暗号化するとともに、前記伝送要請を受けたテキスト文書のテキストに対応するフォントを前記生成された入力変換キーによって暗号化した後、前記暗号化されたテキスト文書及び暗号化されたフォントを該当ユーザ端末に伝送する暗号化文書伝送段階と、
前記暗号化されたテキスト文書と前記暗号化されたフォントの伝送を受けたユーザ端末で前記暗号化されたテキスト文書を前記暗号化されたフォントに適用して本来のテキスト文書に復元する復元段階と、
を含んでなることを特徴とするネットワーク情報保安システムでの文書保安方法。
【請求項７】
前記テキスト文書の暗号化は、テキスト文書のテキストに対して前記生成された変換キーを用いてテキストに対する固有文字イメージまたは固有コードを互いに異なったコード領域内で位置を規則的な形態で変えることによってテキスト文書を暗号化するものであって、
前記フォントの暗号化は、前記テキスト文書のテキストに対応するフォントに対して前記生成された変換キーを用いてフォントのグリフが有している固有文字イメージまたは固有コードを互いに異なったフォント領域内で位置を前記と同一の規則的な形態で変えてフォントを暗号化することを特徴とする請求項６に記載のネットワーク情報保安システムでの文書保安方法。
【請求項８】
前記ユーザ端末は、前記保安管理サーバに無線通信方式と有線通信方式の中から選択された少なくともいずれかによって接続可能な端末であることを特徴とする請求項６または７に記載のネットワーク情報保安システムでの文書保安方法。
【請求項９】
ウェブサーバのウェブページ保安システムにおいて、
管理者端末またはユーザ端末からウェブページの生成、修正及び編集要請時に、入力変換キーを生成し、その入力変換キーに応じて該当ウェブページを構成するテキストを暗号化し、暗号化されたテキストで作られたウェブページを構築して該当ウェブページ情報と該当入力変換キーを格納管理するウェブページ構築段階と、
ユーザ端末から所望のウェブページの提供要請時に、該当ウェブページに対応する入力変換キーを用いて出力変換キーを生成し、この出力変換キーを用いて該当ウェブページを構成するテキストに対するフォントを暗号化した後、該当ウェブページとともに前記暗号化されたフォントを該当ユーザ端末に伝送するウェブページ伝送段階と、
該当ウェブページとともに前記暗号化されたフォントの伝送を受けたユーザ端末で該当ウェブページを構成するテキストを前記暗号化されたフォントに適用して復元するウェブページ復元段階と、
を含んで構成されたことを特徴とするウェブページ保安システムでの文書保安方法。
【請求項１０】
前記ウェブページのテキスト暗号化は、ウェブページのテキストに対して前記生成された変換キーを用いてテキストに対する固有文字イメージまたは固有コードを互いに異なったコード領域内で位置を規則的な形態で変えることによってウェブページのテキストを暗号化するものであって、
前記フォントの暗号化は、前記ウェブページのテキストに対応するフォントに対して前記生成された変換キーを用いてフォントのグリフが有している固有文字イメージまたは固有コードを互いに異なったフォント領域内で位置を前記と同一の規則的な形態で変えてフォントを暗号化することを特徴とする請求項９に記載のウェブページ保安システムでの文書保安方法。
【請求項１１】
前記ユーザ端末は、前記ウェブサーバに無線通信方式と有線通信方式の中から選択された少なくともいずれかによって接続可能な端末であることを特徴とする請求項９または１０に記載のウェブページ保安システムでの文書保安方法。
【請求項１２】
メッセンジャ保安システムにおいて、
ユーザ端末のメッセンジャからの対話開始要請時にメッセンジャ管理サーバから各ユーザ端末のメッセンジャにそれぞれ異なるテキスト変換キーを提供する第１段階と、
前記メッセンジャ管理サーバから前記対話の開始が要請された各ユーザ端末のメッセンジャに前記それぞれ異なるテキスト変換キーの中から相手方ユーザに伝達されたテキスト変換キーに対応する変換フォントを提供する第２段階と、
ユーザ端末のメッセンジャでユーザによって入力されるテキストを画面表示すると同時に前記メッセンジャ管理サーバからのテキスト変換キーを用いて前記ユーザによって入力されるテキストを暗号化した後に伝送する第３段階と、
ユーザ端末のメッセンジャで相手方ユーザから伝送されてきた変換テキストを前記メッセンジャ管理サーバからの変換フォントに適用して画面表示する第４段階と、
を含むことを特徴とするメッセンジャ保安システムでの文書保安方法。
【請求項１３】
メッセンジャ保安システムにおいて、
ユーザ端末のメッセンジャからの対話開始要請時にメッセンジャ管理サーバから各ユーザ端末のメッセンジャにそれぞれ異なるテキスト変換キーを提供する第１段階と、
前記メッセンジャ管理サーバから前記対話の開始が要請された各ユーザ端末のメッセンジャに前記それぞれ異なるテキスト変換キーに対応する変換フォントを提供する第２段階と、
ユーザ端末のメッセンジャで前記メッセンジャ管理サーバからのテキスト変換キーを用いて前記ユーザによって入力されるテキストを変換して暗号化した後に伝送する第３段階と、
ユーザ端末のメッセンジャでユーザによって入力されて変換されたテキストは、自身に伝達されたテキスト変換キーに対応する変換フォントを適用して復元した後に画面表示し、相手方ユーザから伝送されてきた変換テキストは、相手方ユーザに伝達されたテキスト変換キーに対応する変換フォントを適用して復元した後に画面表示する第４段階と、
を含むことを特徴とするメッセンジャ保安システムでの文書保安方法。
【請求項１４】
前記テキスト暗号化は、テキストに対して前記テキスト変換キーを用いてテキストに対する固有文字イメージまたは固有コードを互いに異なったコード領域内で位置を規則的な形態で変えることによってテキストを暗号化するものであって、
前記変換フォントは、前記対応する変換キーを用いてフォントのグリフが有している固有文字イメージまたは固有コードを互いに異なったフォント領域内で位置を前記と同一の規則的な形態で変えたフォントであることを特徴とする請求項１２または１３に記載のメッセンジャ保安システムでの文書保安方法。
【請求項１５】
前記ユーザ端末は、前記メッセンジャ管理サーバに無線通信方式と有線通信方式の中から選択された少なくともいずれかによって接続可能な端末であることを特徴とする請求項１２または１３に記載のメッセンジャ保安システムでの文書保安方法。
【請求項１６】
前記ユーザ端末のメッセンジャで前記メッセンジャ管理サーバから対話開始時に提供されたテキスト変換キーと変換フォントを該当対話の終了とともに削除することを特徴とする請求項１２または１３に記載のメッセンジャ保安システムでの文書保安方法。
【請求項１７】
電子メール保安システムにおいて、
発信側ユーザがメール作成機で規格化されたフォントの中から選択したフォントを用いてテキストを入力しメール伝送を要請することによって、メール伝送側のメールサーバで該当メールのテキストと、このテキストに対応するフォントをそれぞれ同一の方式で暗号化して伝送する暗号化伝送段階と、
前記暗号化されたテキスト文書を含むメールを受信した受信側メールサーバで受信側ユーザが該当メールの閲覧を要請することによって、前記メールの暗号化されたテキスト文書を前記暗号化されたフォントに適用し復元してユーザに提供する暗号化復元受信段階と、
を含んでなることを特徴とする電子メール保安システムでの文書保安方法。
【請求項１８】
前記テキストの暗号化は、テキストに対する固有文字イメージまたは固有コードを互いに異なったコード領域内で位置を規則的な形態で変えることによってテキストを暗号化するものであって、
前記フォントの暗号化は、前記テキストに対応するフォントに対してフォントのグリフが有している固有文字イメージまたは固有コードを互いに異なったフォント領域内で位置を前記と同一の規則的な形態で変えてフォントを暗号化することを特徴とする請求項１７に記載の電子メール保安システムでの文書保安方法。
【請求項１９】
文書編集機での文書保安方法において、
文書編集機を実行してテキスト文書作業をして格納要請をすることにより、文書編集機で保安格納のための入力変換キーの入力を要求する第１段階と、
入力変換キーが入力されることによって前記格納要請されたテキスト文書を前記入力変換キーに対応してテキスト文書のテキストを変換した後に変換されたテキスト文書を格納する第２段階と、
既に格納されたテキスト文書を開く要請に従って文書編集機で保安出力のための出力変換キーの入力を要求する第３段階と、
出力変換キーが入力されることによって、前記出力変換キーに対応して正常フォントを変換した後、前記開く要請されたテキスト文書を前記変換されたフォントに適用して前記要請されたテキスト文書を出力する第４段階と、
を含んで構成されたことを特徴とする文書編集機での文書保安方法。
【請求項２０】
前記テキストの変換は、テキストに対する固有文字イメージまたは固有コードを前記入力変換キーを用いて互いに異なったコード領域内で位置を規則的な形態で変えることによってテキストを変換するものであり、
前記フォントの変換は、フォントのグリフが有している固有文字イメージまたは固有コードを前記出力変換キーを用いて互いに異なったフォント領域内で位置を前記と同一の規則的な形態で変えてフォントを暗号化することを特徴とする請求項１９に記載の文書編集機での文書保安方法。
【発明の詳細な説明】
【技術分野】
【０００１】
本発明は、文書保安方法に関し、より詳細には、テキスト文書を構成するフォントとテキストを同一の方式で暗号化することにより、その暗号化されたテキストに対して同一の方式で暗号化したフォントを備えた状態でのみ正常に見ることができるようにする文書保安方法に関する。
【背景技術】
【０００２】
現在、コンピューティングシステム及びネットワークシステムの急速な発達により、多様に作成されたテキスト文書が格納された場所または伝送中に望まない者に容易に露出されている。このような問題を解決するために、多様な文書保安方法が開発されている。ところが、このような文書保安方法はユーザ認証などによる保安に偏重しており、ユーザ情報が露出される場合には無防備状態になる。
【０００３】
従って、新たな方式の文書保安技術の開発が要望されている。
【発明の概要】
【発明が解決しようとする課題】
【０００４】
本発明は、従来の要望に応えるために案出されたもので、テキスト文書を構成するフォントとテキストを同一の方式で暗号化することにより、その暗号化されたテキストに対して同一の方式で暗号化したフォントを備えた状態でのみ正常に見ることができるようにする文書保安方法を提供することにその目的がある。
【０００５】
また、本発明は、テキスト文書を構成するフォントとテキストを同一の方式で暗号化することにより、その暗号化されたテキストに対して同一の方式で暗号化したフォントを備えた状態でのみ正常に見ることができるようにするネットワーク情報保安システムでの文書保安方法を提供することに他の目的がある。
【０００６】
また、本発明は、ウェブページのテキスト文書を構成するフォントとテキストを同一の方式で暗号化することにより、その暗号化されたウェブページのテキストに対して同一の方式で暗号化したフォントを備えた状態でのみ正常に見ることができるようにするウェブページ保安システムでの文書保安方法を提供することにもう一つの目的がある。
【０００７】
また、本発明は、メッセンジャのメッセージテキストを構成するフォントとテキストを同一の方式で暗号化することにより、その暗号化されたメッセンジャのメッセージテキストに対して同一の方式で暗号化したフォントを備えた状態でのみ正常に見ることができるようにするメッセンジャ保安システムでの文書保安方法を提供することにもう一つの目的がある。
【０００８】
また、本発明は、電子メールのテキストを構成するフォントとテキストを同一の方式で暗号化することにより、その暗号化された電子メールのテキストに対して同一の方式で暗号化したフォントを備えた状態でのみ正常に見ることができるようにする電子メールシステムでの文書保安方法を提供することにもう一つの目的がある。
【０００９】
また、本発明は、文書テキストを構成するフォントとテキストを同一の方式で暗号化することにより、その暗号化された文書テキストに対して同一の方式で暗号化したフォントを備えた状態でのみ正常に見ることができるようにする文書編集機での文書保安方法を提供することにもう一つの目的がある。
【課題を解決するための手段】
【００１０】
前記目的を達成するための本発明の文書保安方法は、作成されたテキスト文書のテキストと、このテキストに対応するフォントをそれぞれ同一の方式で暗号化する暗号化段階と、前記暗号化されたテキスト文書を前記暗号化されたフォントに適用して本来のテキスト文書に復元する復元段階とを含んでなる。
【００１１】
また、前記目的を達成するための本発明に係るネットワーク情報保安システムでの文書保安方法は、ユーザ端末から入力されるテキスト文書を含む文書情報を格納管理してユーザ情報を格納管理するメインサーバと、ユーザ認証を行う保安管理サーバとを含むネットワーク情報保安システムにおいて、ユーザ端末からテキスト文書に対する格納要請を受けると、前記保安管理サーバでユーザに対する認証情報に基づいて入力変換キーを生成し、前記格納要請を受けたテキスト文書のテキストを前記生成された入力変換キーによって暗号化した後に前記メインサーバに格納要請して前記ユーザ情報と、前記入力変換キーを管理する暗号化文書格納段階と、ユーザ端末から前記メインサーバに格納された暗号化されたテキスト文書に対する伝送要請を受けると、ユーザに対する認証情報と前記既格納管理される該当テキスト文書に対応するユーザ情報及び入力変換キーを用いて出力変換キーを生成し、前記伝送要請を受けたテキスト文書のテキストを前記生成された入力変換キーによって暗号化するとともに、前記伝送要請を受けたテキスト文書のテキストに対応するフォントを前記生成された入力変換キーによって暗号化した後、前記暗号化されたテキスト文書及び暗号化されたフォントを該当ユーザ端末に伝送する暗号化文書伝送段階と、前記暗号化されたテキスト文書と前記暗号化されたフォントの伝送を受けたユーザ端末で前記暗号化されたテキスト文書を前記暗号化されたフォントに適用して本来のテキスト文書に復元する復元段階とを含んでなる。
【００１２】
また、前記目的を達成するための本発明に係るウェブページ保安システムでの文書保安方法は、ウェブサーバのウェブページ保安システムにおいて、管理者端末またはユーザ端末からウェブページの生成、修正及び編集要請時に、入力変換キーを生成してその入力変換キーに応じて該当ウェブページを構成するテキストを暗号化し、暗号化されたテキストで作られたウェブページを構築して該当ウェブページ情報と該当入力変換キーを格納管理するウェブページ構築段階と、ユーザ端末から所望のウェブページの提供要請時に、該当ウェブページに対応する入力変換キーを用いて出力変換キーを生成し、この出力変換キーを用いて該当ウェブページを構成するテキストに対するフォントを暗号化した後、該当ウェブページとともに前記暗号化されたフォントを該当ユーザ端末に伝送するウェブページ伝送段階と、該当ウェブページとともに前記暗号化されたフォントの伝送を受けたユーザ端末で該当ウェブページを構成するテキストを前記暗号化されたフォントに適用して復元するウェブページ復元段階とを含んで構成される。
【００１３】
また、前記目的を達成するための本発明に係るメッセンジャ保安システムでの文書保安方法は、メッセンジャ保安システムにおいて、ユーザ端末のメッセンジャからの対話開始要請時にメッセンジャ管理サーバから各ユーザ端末のメッセンジャにそれぞれ異なるテキスト変換キーを提供する第１段階と、前記メッセンジャ管理サーバから前記対話の開始を要請された各ユーザ端末のメッセンジャに前記それぞれ異なるテキスト変換キーの中から相手方ユーザに伝達されたテキスト変換キーに対応する変換フォントを提供する第２段階と、ユーザ端末のメッセンジャでユーザによって入力されるテキストを画面表示すると同時に、前記メッセンジャ管理サーバからのテキスト変換キーを用いて前記ユーザによって入力されるテキストを暗号化した後に伝送する第３段階と、ユーザ端末のメッセンジャで相手方ユーザから伝送されてきた変換テキストを前記メッセンジャ管理サーバからの変換フォントに適用して画面表示する第４段階とを含む。
【００１４】
また、前記目的を達成するための本発明に係るメッセンジャ保安システムでの文書保安方法は、ユーザ端末のメッセンジャからの対話開始要請時にメッセンジャ管理サーバから各ユーザ端末のメッセンジャにそれぞれ異なるテキスト変換キーを提供する第１段階と、前記メッセンジャ管理サーバから前記対話の開始を要請された各ユーザ端末のメッセンジャに前記それぞれ異なるテキスト変換キーに対応する変換フォントを提供する第２段階と、ユーザ端末のメッセンジャで前記メッセンジャ管理サーバからのテキスト変換キーを用いて前記ユーザによって入力されるテキストを変換し暗号化した後に伝送する第３段階と、ユーザ端末のメッセンジャでユーザによって入力されて変換されたテキストは、自身に伝達されたテキスト変換キーに対応する変換フォントを適用して復元した後に画面表示し、相手方ユーザから伝送されてきた変換テキストは、相手方ユーザに伝達されたテキスト変換キーに対応する変換フォントを適用して復元した後に画面表示する第４段階とを含む。
【００１５】
また、前記目的を達成するための本発明に係る電子メールシステムでの文書保安方法は、電子メール保安システムにおいて、発信側ユーザがメール作成機で規格化されたフォントの中から選択したフォントを用いてテキストを入力しメール伝送を要請することによって、メール伝送側メールサーバで該当メールのテキストと、このテキストに対応するフォントをそれぞれ同一の方式で暗号化して伝送する暗号化伝送段階と、前記暗号化されたテキスト文書を含むメールを受信した受信側メールサーバで受信側ユーザが該当メールの閲覧を要請することによって、前記メールの暗号化されたテキスト文書を前記暗号化されたフォントに適用し復元してユーザに提供する暗号化復元受信段階を含んでなる。
【００１６】
また、前記目的を達成するための本発明に係る文書編集機での文書保安方法は、文書編集機での文書保安方法において、文書編集機を実行してテキスト文書作業をして格納要請をすることにより、文書編集機で保安格納のための入力変換キーの入力を要求する第１段階と、入力変換キーが入力されることによって前記格納要請されたテキスト文書を前記入力変換キーに対応してテキスト文書のテキストを変換した後に変換されたテキスト文書を格納する第２段階と、既に格納されたテキスト文書を開く要請に従って文書編集機で保安出力のための出力変換キーの入力を要求する第３段階と、出力変換キーが入力されることによって、前記出力変換キーに対応して正常フォントを変換した後、前記開く要請を受けたテキスト文書を前記変換されたフォントに適用し前記要請されたテキスト文書を出力する第４段階とを含んで構成される。
【発明の効果】
【００１７】
本発明によると、テキスト文書を構成するフォントとテキストを同一の方式で暗号化し、その暗号化されたテキストに対して同一の方式で暗号化したフォントを備えた状態でのみ正常に見ることができるようにすることによって、テキスト文書の保安を確実に保証することができるようにする優れた効果がある。
【図面の簡単な説明】
【００１８】
【図１】本発明に係る文書保安方法で使用可能なフォント変換の概念を説明するための図面である。
【図２】本発明に係る文書保安方法で使用可能なテキスト変換の概念を説明するための図面である。
【図３】本発明に係る文書保安方法を適用した文書暗号化／復号化を説明するための図面である。
【図４】本発明に係る文書保安方法を適用してフォントファイルを暗号化した一例を説明するための図面である。
【図５】本発明に係る文書保安方法を適用してテキストファイルを暗号化した一例を説明するための図面である。
【図６】本発明に係る文書保安方法を適用する前と後を例示的に説明するための図面である。
【図７】本発明に係る文書保安方法を適用したネットワーク情報保安システムに関する一例を示した図面である。
【図８】本発明に係る文書保安方法を適用したウェブページ保安システムの一例を示した図面である。
【図９】本発明に係る文書保安方法を適用したメッセンジャ保安システムの一例を示した図面である。
【図１０】本発明に係る文書保安方法を適用した電子メール保安システムの一例を示した図面である。
【図１１】本発明に係る文書保安方法を適用した文書編集機での文書保安方法を説明するための図面である。
【発明を実施するための形態】
【００１９】
以下、本発明の望ましい実施例による文書保安方法について詳細に説明する。
【００２０】
図１は本発明に係る文書保安方法で使用可能なフォント変換の概念を説明するための図面である。
【００２１】
図１で（ａ）は固有文字テキストであり、これを固有コードと固有文字イメージで表現すれば（ｂ）のようになる。そして、図１で（ｃ）は各グリフ別にコード値が変換されたグリフを示したものである。
【００２２】
固有文字テキスト「２４０１」は、固有文字イメージ「２」、「４」、「０」、「１」と、各固有文字イメージ「２」、「４」、「０」、「１」に対する固有コード「００００３２」、「００００３４」、「００００３０」、「００００３１」の組合わせからなる。ここで、フォントにおいてグリフ（Ｇｌｙｐｈ）とは、一フォント内の一文字一文字のイメージを意味する。
【００２３】
このようにコンピューティングシステムで表現される文書は、固有文字とそれらそれぞれに割り当てられた固有コードに従って画面上に約束された形態でフォントが表現される。即ち、「２４０１」という入力時に、正常なグリフによっては図１の（ｂ）に示した通り、画面上に「２４０１」が表現される。
【００２４】
しかし、各グリフが有している固有文字イメージまたは固有コードを互いに異なったフォント領域内での位置に変換すると、「２４０１」を入力する場合、画面上に「２４０１」とは異なる形態で表現され得る。例えば、グリフ「２」に対応する固有文字イメージはそのままにしてその固有コードを「００００３０」に変換し、グリフ「４」に対応する固有文字はそのままにしてその固有コードを「００００３１」に変換し、グリフ「０」に対応する固有文字イメージはそのままにしてその固有コードを「００００３２」に変換し、グリフ「１」に対応する固有文字イメージはそのままにしてその固有コードを「００００３４」に変換すると、「２４０１」を入力する場合、画面上に「０１２４」が表現される。
【００２５】
このように、本発明では、グリフが有している固有文字イメージまたは固有コードを互いに異なったフォント領域内で位置を変えることによって、文書保安のために暗号化する。このような本発明に係る文書保安方法では、固有文字イメージまたは固有コードが互いにいかに位置が変わったのかを知らなければ該当文書の内容が分からなくなる。
【００２６】
図２は、本発明に係る文書保安方法で使用可能なテキスト変換の概念を説明するための図面である。
【００２７】
図２で（ａ）は、固有文字テキストである「２４０１」であり、（ｂ）はこれを固有文字テキスト「２４０１」に対して固有コードを互いに異なったコード領域内で位置を変えた状態を示した図面である。
【００２８】
図２の（ｃ）は、正常な状態で「２４０１」を入力した時に画面に表示されるテキストである「２４０１」と、これに対応する固有コードを示す。
【００２９】
図２の（ｄ）は、図２の（ｂ）でのように変換されたコードを用いる場合、「２４０１」を入力する時に画面に表示されるテキストである「０１２４」と、これに対応する固有コードを示す。
【００３０】
このように、本発明では、テキストが有している固有文字イメージまたは固有コードを互いに異なったコード領域内で位置を変えることによって、文書保安のために暗号化する。このような本発明に係る文書保安方法では、固有文字イメージまたは固有コードが互いにいかに位置が変わったのかを知らなければ該当文書の内容が分からなくなる。
【００３１】
図３は、本発明に係る文書保安方法を適用した文書暗号化／復号化を説明するための図面である。
【００３２】
図３で変換コード生成器１０は、変換コードを生成してフォント変換器２０及びテキスト変換器３０に提供する。前記フォント変換器２０は、規格化されたフォントの固有文字イメージと固有コードを変換コード生成器１０からの変換コードに従ってコード値が変換されたフォントを生成する。前記テキスト変換器３０は、テキストの固有文字テキストと固有コードを変換コード生成器１０からの変換コードに従ってコード値が変換されたテキストを生成する。
【００３３】
このようにして、テキスト変換器３０及びフォント変換器２０は、変換コード生成器１０から受けた変換コードを用いてテキストとフォントを暗号化する。
【００３４】
前記の通り、テキスト変換器３０によって変換テキストは一般的なフォント環境（即ち、規格化されたフォント環境）では正しく認識できなくなる。即ち、同図面でのように、正常なテキストである「２４０１」は、テキスト変換器３０によって変化した後に正常なフォント環境では「０１２４」と認識される。
【００３５】
また、前記の通り、フォント変換器２０によって変換フォントは一般的なテキスト環境では正しく認識できなくなる。即ち、同図面でのように、正常なフォントである「２４０１」は、フォント変換器２０によって変化した後に正常なテキスト環境では「０１２４」と認識される。
【００３６】
前記の通り、コード値が変換されたテキスト（即ち、暗号化されたテキスト）は、同様にコード値が変換されたフォント（即ち、暗号化されたフォント）を用いてこそ正常なテキストに復号化できるようになる。即ち、同図面に示した通り、コード値が変換されたテキストに対してコード値が変換されたフォントを適用すれば、本来の状態のテキストが得られるようになる。
【００３７】
図４は、本発明に係る文書保安方法を適用してフォントファイルを暗号化した一例を説明するための図面である。
【００３８】
図４で（ａ）は、「Ａｌｌ  ｒｏａｄｓ  ｌｅａｄ  ｔｏ  Ｒｏｍｅ」に対応する例示的なフォントファイルである。（ｂ）は、本発明によってそれぞれのグリフが有している固有コードを互いに異なったフォント領域内で位置をクロスして変えた状態のフォントを示したものである（Ｃｒｏｓｓ  Ｃｏｄｅ適用）。（ｃ）は、前記クロスコードを適用した状態でコード順に整列した前記「Ａｌｌ  ｒｏａｄｓ  ｌｅａｄ  ｔｏ  Ｒｏｍｅ」に対応するクロスコード変換されたフォントファイルである。
【００３９】
図５は、本発明に係る文書保安方法を適用してテキストファイルを暗号化した一例を説明するための図面である。
【００４０】
図５で（ａ）は、「Ａｌｌ  ｒｏａｄｓ  ｌｅａｄ  ｔｏ  Ｒｏｍｅ」に対応する例示的なテキストファイルである。（ｂ）は、前記図４（ｂ）と同一のクロスコードを適用して変えた状態のテキストを示したものである（Ｃｒｏｓｓ  Ｃｏｄｅ適用）。（ｃ）は、前記クロスコードを適用した状態で本来の「Ａｌｌ  ｒｏａｄｓ  ｌｅａｄ  ｔｏ  Ｒｏｍｅ」に対応するコード順に整列してクロスコード変換したテキストファイルである。即ち、図５（ｃ）に示した通り、「Ａｌｌ  ｒｏａｄｓ  ｌｅａｄ  ｔｏ  Ｒｏｍｅ」にクロスコードを適用すれば、「ａｄｄＲｔｓＡｌｏＲｄｍＡｌＲｒｓＲｓｅｍ」にそのテキストが変換される。
【００４１】
図６は、本発明に係る文書保安方法を適用する前と後を例示的に説明するための図面である。
【００４２】
図６で（ａ）は、クロスコードを適用する前の「Ａｌｌ  ｒｏａｄｓ  ｌｅａｄ  ｔｏ  Ｒｏｍｅ」に対応するフォントファイルとテキストファイルである。（ｂ）は、図４及び図５で説明した通り、クロスコードを適用した後の「Ａｌｌ  ｒｏａｄｓ  ｌｅａｄ  ｔｏ  Ｒｏｍｅ」に対応するフォントファイルとテキストファイルである。
【００４３】
従って、図６（ａ）のクロスコードを適用する前のテキストファイルにクロスコードを適用する前のフォントファイルを適用すれば、「Ａｌｌ  ｒｏａｄｓ  ｌｅａｄ  ｔｏ  Ｒｏｍｅ」と表現され、同様に図６（ｂ）のクロスコードを適用した後のテキストファイルにクロスコードを適用した後のフォントファイルを適用すれば、「Ａｌｌ  ｒｏａｄｓ  ｌｅａｄ  ｔｏ  Ｒｏｍｅ」と表現される。
【００４４】
このように本発明の文書保安方法によると、テキスト文書を構成するフォントとテキストを同一の方式で暗号化した後に、その暗号化されたテキストに対して同一の方式で暗号化したフォントを適用する場合にのみ正常に見ることができるようにする。
【００４５】
図７は、本発明に係る文書保安方法を適用したネットワーク情報保安システムに関する一例を示した図面である。
【００４６】
図７に示した通り、本実施例によるネットワーク情報保安システムは、メインサーバ１００、保安管理サーバ２００、ユーザ端末３００を含んで構成される。
【００４７】
前記メインサーバ１００は、ユーザ端末３００から入力されるテキスト文書などを格納するデータベース１１０と、ユーザ情報、管理者情報及び端末情報（ハードウェア情報等）などを管理するユーザ情報管理部１２０を含んで構成される。ここで、ユーザ情報はユーザ認証のために用いられ、前記管理者情報は管理者認証のために用いられる。
【００４８】
前記保安管理サーバ２００は、フォント変換器２１０と第１テキスト変換器２２０、制御器２３０及び第２テキスト変換器２４０を含んで構成される。
【００４９】
前記制御器２３０は、暗号化に必要な変換キーを生成して前記フォント変換器２１０と、第１及び第２テキスト変換器２２０、２３０に提供し、またユーザ端末（または管理者端末）３００のテキスト変換器にも提供する。前記制御器２３０は、保安管理サーバ２００の全体的な制御を担当し、ユーザ端末からのユーザ情報（管理者情報）及び端末のハードウェア情報に従いメインサーバ１００のユーザ情報管理部１２０で該当ユーザ情報を照会してユーザ認証を処理し、変換のための変換キー値を生成するための状況に応じてユーザ別にそれぞれ異なる変換キーを生成して提供し、またその生成された変換キーを管理する。
【００５０】
前記第１テキスト変換器２２０は、ユーザ端末３００から前記メインサーバ１００のデータベース１１０に格納されたテキスト文書の出力要請に従って、前記メインサーバ１００から入力されるテキスト文書を前記制御器２３０からの変換キー（出力変換キー）によってテキストを変換し、変換された変換テキストをユーザ端末３００に通信プロトコルを用いて出力する。
【００５１】
また、前記フォント変換器２１０は、ユーザ端末３００から前記メインサーバ１００のデータベース１１０に格納されたテキスト文書の出力要請に従って、前記第１テキスト変換器２２０と連動して前記メインサーバ１００から入力されるテキスト文書に対応するフォントを前記制御器２３０からの変換キー（出力変換キー）によって変換し、変換された変換フォントをユーザ端末３００に通信プロトコルを用いて出力する。
【００５２】
また、前記第２テキスト変換器２４０は、ユーザ端末３００から前記メインサーバ１００のデータベース１１０に格納されたテキスト文書の格納を要請することによって、前記ユーザ端末３００から入力される変換テキスト文書を前記制御器２３０からの変換キー（入力変換キー）によって変換テキスト文書を再度変換し、再度変換されたテキスト文書を前記メインサーバ１００に伝達してデータベース１１０に格納されるようにする。
【００５３】
ここで、前記「変換キー」とは、フォントに対しては各グリフが有している固有文字イメージまたは固有コードを互いに異なったフォント領域内での位置に規則的に変えるための値であり、テキストに対してはテキストが有している固有文字イメージまたは固有コードを互いに異なったコード領域内で位置を規則的に変えるための値である。
【００５４】
前記ユーザ端末３００は、出力部３１０と入力部３２０、３３０を含んで構成される。
【００５５】
前記出力部３１０は、前記保安管理サーバ２００から提供される変換フォントと変換テキストの入力を受け、前記変換テキストを前記変換フォントに適用して出力することによって、本来の状態のテキストに復元して出力するようになる。
【００５６】
前記入力部３２０、３３０は、該当端末３００のユーザ情報を変換なしに前記保安管理サーバ２００に提供するための端末ユーザ情報の入力部３２０と、テキスト入力器とテキスト変換器を含んでユーザによってテキスト入力器を通じて入力されるテキストを前記保安管理サーバ２００から提供された入力変換キーを用いてテキスト変換器によって変換し、変換されたテキストを保安管理サーバ２００に伝達するテキストの入力部３３０を含む。
【００５７】
前記の通り構成されたネットワーク情報保安システムでは、メインサーバ１００に格納されたテキスト文書に対して正当な権限がないユーザがアクセスする場合、変換された該当テキスト文書を正常に見ることができなくなる。また、前記メインサーバ１００に格納されたテキスト文書がハッキングされる場合にも、該当テキスト文書が変換されているので正常に見ることができなくなる。
【００５８】
一方、前記図７のシステムでは保安管理サーバ２００と端末入力部３３０にそれぞれテキスト変換器があるが、保安管理サーバ２００と端末入力部３３０のうち、どちらか一方にのみテキスト変換器があってもよいことは、当該技術分野に通常の知識を有する者であれば容易に理解することができる。
【００５９】
図８は、本発明に係る文書保安方法を適用したウェブページ保安システムの一例を示した図面である。
【００６０】
図８に示した通り、本発明に係るウェブページ保安システムは、管理者端末４００とウェブサーバ５００及びユーザ端末６００を含んで構成される。
【００６１】
前記管理者端末４００は、ウェブページ管理プログラムを搭載し、管理者によってウェブサーバ５００を管理し、またウェブページを管理及び編集するためのものである。
【００６２】
前記ウェブサーバ５００は、ウェブページ管理器５２０とフォント変換器５１０、制御器５３０、テキスト変換器５４０を含んで構成される。
【００６３】
前記ウェブページ管理器５２０は、暗号化されたテキストで作られたウェブページを格納、管理しながら、ユーザ端末６００から所望のウェブページ提供要請が来れば、該当テキストが暗号化されたウェブページを該当ユーザ端末６００に提供する。
【００６４】
前記フォント変換器５１０は、ユーザ端末６００から所望のウェブページ提供要請が来るに伴い、制御器５３０から該当ウェブページに対応する出力変換キーが入力されると、暗号化された該当テキストで作られたウェブページの暗号化テキストに対応する暗号化フォントを前記制御器５３０からの出力変換キーに応じて生成し、該当ユーザ端末６００に出力する。ここで、前記「出力変換キー」とは、フォントに対して各グリフが有している固有文字イメージまたは固有コードを互いに異なったフォント領域内での位置に規則的に変えるための値である。
【００６５】
前記テキスト変換器５４０は、管理者端末４００から入力されてウェブサーバに構築されるテキストを含むウェブページに対し、制御器５３０から入力される入力変換キーに応じて該当ウェブページを構成するテキストを暗号化テキストに変換し、暗号化テキストで作られたウェブページをウェブページ管理器５２０に伝達する。また、前記テキスト変換器５４０は、ユーザ端末６００から入力されてウェブサーバに構築されるテキストを含むユーザウェブページ（またはレスのようなユーザテキスト）に対し、制御器５３０から入力される入力変換キーに応じて該当ウェブページ（またはユーザテキスト）を構成するテキストを暗号化テキストに変換し、暗号化テキストで作られたユーザウェブページ（またはユーザテキスト）をウェブページ管理器５２０に伝達する。これにより、管理者によって作られたウェブページとユーザによって作られたウェブページ（またはユーザテキスト）のテキストが全て暗号化されてウェブサーバ５００に構築される。
【００６６】
前記制御器５３０は、暗号化に必要な変換キー（入力変換キーと出力変換キー）を生成し、前記フォント変換器５１０とテキスト変換器５４０に提供する。前記制御器５３０は、ウェブサーバ５００の全体的な制御を担当し、全てのウェブページ別に変換キーを管理する。
【００６７】
前記の通り構築されたウェブサーバシステムでは、ユーザ端末６００からウェブサーバ５００に接続して所望のウェブページを要請すると、該当ウェブページに関するテキストが暗号化されたウェブページとともに該当ウェブページの暗号化されたテキストを復元できる暗号化フォントが提供される。これによってユーザ端末６００では、前記ウェブサーバから提供されたウェブページの暗号化された（変換された）テキストを前記ウェブサーバから提供された暗号化された（変換された）フォントに適用することにより、正常なテキストに復元して見ることができるようになる。
【００６８】
しかし、ユーザ端末６００で該当ウェブページのテキストを複写することは不可能になる。このユーザ端末６００で該当ウェブページを複写する場合は、複写された該当テキストは対応する変換フォントがない場合には、正常に見ることができないためである。
【００６９】
図９は、本発明に係る文書保安方法を適用したメッセンジャ保安システムの一例を示した図面である。
【００７０】
図９に示した通り、メッセンジャ保安システムでは、メッセンジャ管理サーバ８００で対話の開始要請時にユーザ端末７００、９００のメッセンジャにそれぞれ異なるテキスト変換キー（Ａ変換キー、Ｂ変換キー）を提供する。また、メッセンジャ管理サーバ８００では、対話の開始要請時にユーザ端末７００、９００のメッセンジャにそれぞれ異なるテキスト変換キーに対応する変換フォント（Ａ変換フォント、Ｂ変換フォント）を提供する。ここで、Ａ変換キーが適用されたテキストはＡ変換フォントを適用すれば正常に見ることができ、Ｂ変換キーが適用されたテキストはＢ変換フォントを適用すれば正常に見ることができる。
【００７１】
ユーザ端末７００のメッセンジャでは、テキスト変換器で前記メッセンジャ管理サーバ８００からのテキスト変換キー（Ａ変換キー）を用いてユーザにより入力されるテキストを変換し、変換されたテキストを伝送する。他のユーザ端末８００のメッセンジャでは、テキスト変換器で前記メッセンジャ管理サーバ８００からのテキスト変換キー（Ｂ変換キー）を用いてユーザにより入力されるテキストを変換し、変換されたテキストを伝送する。
【００７２】
これによって、ユーザ端末７００のメッセンジャでは、自身が入力するテキストはテキスト変換器によってＡ変換キーが適用されて変換された後、前記メッセンジャ管理サーバ８００から提供されたＡ変換フォントに適用されて画面表示されると同時に、相手方ユーザ端末９００のメッセンジャに伝送される。また、ユーザ端末７００のメッセンジャでは、相手方ユーザ端末９００のメッセンジャでＢ変換キーが適用されて変換された相手方の変換されたテキストは、前記メッセンジャ管理サーバ８００から提供されたＢ変換フォントに適用されて画面表示される。
【００７３】
一方、ユーザ端末９００のメッセンジャでは、自身が入力するテキストはテキスト変換器によってＢ変換キーが適用されて変換された後、前記メッセンジャ管理サーバ８００から提供されたＢ変換フォントに適用されて画面表示されると同時に、相手方ユーザ端末７００のメッセンジャに伝送される。また、ユーザ端末９００のメッセンジャでは、相手方ユーザ端末７００のメッセンジャでＡ変換キーが適用されて変換された相手方の変換されたテキストは、前記メッセンジャ管理サーバ８００から提供されたＡ変換フォントに適用されて画面表示される。
【００７４】
従って、メッセンジャテキストの伝送中にハッキングされる場合にも、伝送中のテキストデータの補完とともに対話内容の補完が確保され得るようになる。
【００７５】
一方、前記では、ユーザ端末のメッセンジャでユーザによって入力されるテキストを変換した後、その変換されたテキストを変換フォントに適用して復元し画面表示したが、本発明はこれに限定されるわけではなく、ユーザ端末のメッセンジャでユーザによって入力されるテキストは、正常フォントを適用して画面表示し、相手方から伝送されてきた変換テキストを変換フォントにより変換して画面表示するようにしてもよい。従って、この場合には、相手方から伝送されてきたテキストの復元のための変換フォントのみを対話開始時点でメッセンジャ管理サーバからダウンロードすればよい。
【００７６】
一方、ユーザ端末のメッセンジャでは、メッセンジャ管理サーバ８００から対話開始要請時にユーザ端末に提供されたテキスト変換キーと変換フォントを、該当対話の終了とともに削除することが望ましく、新たな対話の開始時にメッセンジャ管理サーバ８００から新たなテキスト変換キーと変換フォントをダウンロードすることが望ましい。この場合、ユーザ端末で対話内容が格納されても、該当対話の変換フォントがなければ該当対話内容を正しく見ることができなくなる。従って、対話の終了後にも対話内容の補完が確保され得るようになる。
【００７７】
図１０は、本発明に係る文書保安方法を適用した電子メール保安システムの一例を示した図面である。
【００７８】
メール伝送側メールサーバ１０００では、ユーザがメール作成機で規格化されたフォントの中から選択したフォントを用いてテキストを入力しメール伝送を要請すると、該当メールのテキストは、変換コード生成器によって生成された変換コードが適用されてテキスト変換器で変換される（暗号化される）。これと同時に、前記ユーザによって選択されたフォントは、変換コード生成器によって生成された変換コードが適用され、フォント変換器で変換される（暗号化される）。
【００７９】
このように変換されたメールの変換されたテキストと変換されたフォントが受信側メールサーバ１１００に伝送される。ここで、前記変換されたテキストは、通常のフォント環境では正しく表現されず、また前記変換されたフォントは、一般的なテキスト環境では正しく表現されない。
【００８０】
受信側メールサーバ１１００では、受信側ユーザが該当メールを閲覧すると、メールに含まれた変換されたテキストを前記変換されたフォントに適用して該当ユーザに提供する。このような電子メール保安システムでは、受信側ユーザが該当メールを閲覧するまではメール内容を判読することができない。
【００８１】
図１１は、本発明に係る文書保安方法を適用した文書編集機での文書保安方法を説明するための図面である。ここで、文書編集機とは、例えばパーソナルコンピュータなどのようなユーザ端末に搭載され、文書を作成して編集するソフトウェアである。
【００８２】
まず、ユーザが端末に設置された文書編集機を実行した後、テキスト文書入力器を用いて文書作業をする。この時、作業されるテキスト文書は正常フォントとマッチングされる。このようにして完成した文書の格納時に保安格納ではなく一般格納を要請すると、作成された文書が変換されていない状態でそのまま格納部に格納される。
【００８３】
一方、文書の格納時にユーザが保安格納を要請すると、テキスト文書編集機からユーザに入力変換キーを要求するようになり、ユーザが入力変換キーを入力すると、前記作成された文書はテキスト変換器で前記入力された入力変換キーによって変換（暗号化）され、保安文書化されて格納部に格納される。ここで、前記格納された保安文書には、前記入力変換キーに関する何らの情報も収録されないことが望ましい。
【００８４】
その後、ユーザが端末に設置された文書編集機を実行した後、テキスト文書出力器を用いて前記格納部に格納された文書に対する呼び出し要請をすると、テキスト文書出力器から該当格納文書に対する出力変換キーの入力を要求するようになる。
【００８５】
この時、ユーザが出力変換キーを入力せずに該当文書の呼び出しを行い続けると、テキスト文書出力器によって該当格納文書が読み出され、該当文書のテキストが正常フォントを適用してユーザに表示されるようになる。ここで、該当文書が保安格納ではなく一般格納によって格納された文書であれば該当文書は正しく表示されるが、該当文書が保安格納によって格納された文書であれば該当文書は正しく表示されないようになる。
【００８６】
一方、ユーザが出力変換キーを入力して該当文書の呼び出しを行い続けると、フォント変換器により正常フォントが前記出力変換キーによって変換（暗号化）され、変換フォントが生成され、テキスト文書出力器によって該当格納文書が読み出され、該当文書のテキストが前記変換フォントを適用してユーザに表示されるようになる。ここで、該当文書が保安格納ではなく一般格納によって格納された文書であったり、または該当文書が保安格納された文書であっても、前記出力変換キーが該当文書の格納時にユーザによって入力された入力変換キーと異なる場合には、該当文書は正しく表示されないようになる。その一方、該当文書が保安格納された文書であり、前記出力変換キーが該当文書の格納時にユーザによって入力された入力変換キーと同一な場合には、該当文書は正しく表示されるようになる。
【００８７】
従って、本実施例によって作成された保安文書は、正確な変換キーなしには解読できないので、完璧な保安を確保できるようになる。
【００８８】
なお、前記実施例でユーザ端末は、有線端末だけでなく無線端末も含む。
【００８９】
以上、説明した通り、本発明では、テキスト文書をなしているフォントとテキストを同時に暗号化（変換）して伝送したり格納し、ユーザは伝送を受けたり格納したテキスト文書だけでは文書の内容が分からず、暗号化されたフォントも一般に用いることができない。しかし、前記暗号化されたテキスト文書に前記暗号化されたフォントを適用すれば、画面上では初めの文書情報そのままで見ることができるようになる。このような暗号化されたテキスト文書は、一般的なフォントによっては正しく見ることができない。
【００９０】
本発明は、文書に用いている文字コードから全世界で使用中の文字コード（ユニコード）を領域と拡張コード領域及びフォントの全てのコード領域を用いたり、全てのコード領域を所定個数単位でグルーピングし、そのグループ内で互いにコードがシフトするようにする等の方法により、フォント及びテキスト文書を暗号化する。
【００９１】
このような暗号化は、ユーザ環境、ユーザ所望の保安水準によって多様な関数を適用し暗号化できる。
【００９２】
このような本発明は、既存のテキスト文書のフォント設定が可能なあらゆる機器で、別途のプログラムなしでもそのテキスト文書を閲覧しようとする時に有用に用いることができる。
【００９３】
また、本発明に係るテキスト文書とフォントの暗号化方式は無数の類型が可能なので、該当テキストの暗号化と対応する暗号化されたフォントがなければ、該当暗号化文書を解読することは不可能である。
【００９４】
また、本発明は、文書の全体を暗号化するのではなく、文書に含まれたテキストの内容のみを暗号化するので、該当文書が流出する場合にも、該当テキストの暗号化と対応する暗号化されたフォントがなければ、該当文書の内容を解読することはほぼ不可能である。
【００９５】
また、ネットワーク保安システムでは、保安サーバが随時入力変換キーと出力変換キーを変更管理し、以前の暗号化フォントでは次のテキスト文書を見ることができないようにすれば、保安性をより強化できる。
【００９６】
また、本発明は、ＴＴＦ、ｅｏｔ、ｐｓなどのフォントを用いるテキスト文書の保安に適用できる。本発明は、グリフ形成時の指定コードではなく、テキストの順通りに構成が可能で、領域内の自由な構成も可能である。本発明でフォントの変換方法としては、フォントのコードを変えたり、フォントのグリフを追加して変更できる。本発明で必要なグリフのみ形成して文書の保安を達成することもできる。
【００９７】
また、本発明では、変換キー（入力変換キー、出力変換キー）を随時変えるようにしてもよい。そして、変換キーをユーザ別に、ユーザグループ別に、文書グループ別に、文書別に指定して用いるようにしてもよい。
【００９８】
また、本発明では、ユーザ専用キーを用いて保安文書を編集格納し、自身の専用キーを用いて変換されたフォントを用いて保安文書を見ることができるようにしてもよい。
【００９９】
なお、本発明は、前記特定実施例に限定されるわけではなく、本発明の要旨を逸脱しない範囲内で様々に変形及び修正して実施できる。このような変形及び修正が添付する特許請求の範囲に属するならば、本発明に含まれることは自明である。
【図１】
2010529532.tif 000003
【図２】
2010529532.tif 000004
【図３】
2010529532.tif 000005
【図４】
2010529532.tif 000006
【図５】
2010529532.tif 000007
【図６】
2010529532.tif 000008
【図７】
2010529532.tif 000009
【図８】
2010529532.tif 000010
【図９】
2010529532.tif 000011
【図１０】
2010529532.tif 000012
【図１１】
2010529532.tif 000013
【国際調査報告】
2010529532.tif 000014
2010529532.tif 000015